(57)【要約】【課題】  増幅装置の設置位置まで行くことなく増幅装置の出力レベルが所定の出力レベルになるよう調整する。【解決手段】  インターネット１４に接続するゲートウェイ１３が、インターネット１４を介して遠隔制御部２で調整されたパラメータの情報を受け取ると、通信信号に乗せて双方向増幅装置１７〜２４に向けて伝送線路に送出する。双方向増幅装置１７〜２４の通信手段は、通信信号を受信して自機向けのパラメータの情報を取り込んで、取り込んだパラメータの情報を複数の増幅ユニットに設定することができる。これにより、双方向増幅装置１７〜２４の設置位置まで行くことなく各双方向増幅装置１７〜２４の出力レベルが所定の出力レベルになるよう調整することができる。【選択図】  図１
2020036314.tif 000002
【特許請求の範囲】
【請求項１】
所定の周波数帯域の信号を増幅する増幅ユニットと、
前記増幅ユニットと接続されて、少なくとも前記増幅ユニットにレベルを調整できるパラメータの情報を設定することができると共に、通信信号の送受信を行える通信手段を有する制御ユニットとを備え、
前記通信信号は、増幅ユニットが増幅する信号において使用されていない周波数帯域を用いており、前記パラメータの情報が乗った前記通信信号を前記通信手段が受信すると、自機向けの前記パラメータの情報が取り込まれて、前記制御ユニットは取り込んだパラメータの情報を前記増幅ユニットに設定して、前記増幅ユニットのレベルを調整すると共に、受信した前記通信信号の出力レベルが所定の出力レベルになるようレベル調整して送出することを特徴とする増幅装置。
【請求項２】
異なる周波数帯域とされている複数の放送信号を少なくとも含む共聴信号を伝送する棟内における伝送線路に、共聴信号を増幅する複数の増幅装置が設けられ、公衆通信網に接続するゲートウェイを備えている棟内共聴装置において、
前記増幅装置は、
前記共聴信号を構成する複数の周波数帯域の信号を、周波数帯域別にそれぞれ増幅する複数の増幅ユニットと、
前記複数の増幅ユニットと接続されて、少なくとも前記複数の増幅ユニットにレベルを調整できるパラメータの情報を設定することができると共に、通信信号の送受信を行える通信手段を有する制御ユニットとを備え、
前記通信信号は前記共聴信号において使用されていない周波数帯域を用いており、前記ゲートウェイは、公衆通信網を介して受け取った前記パラメータの情報を前記通信信号に乗せて前記複数の増幅装置に向けて前記伝送線路に送出し、前記複数の増幅装置における各増幅装置の前記通信手段が、前記伝送線路から前記通信信号を受信すると、自機向けの前記パラメータの情報が取り込まれて、前記制御ユニットは取り込んだパラメータの情報を前記複数の増幅ユニットに設定して、前記増幅ユニットのレベルを調整すると共に、受信した前記通信信号の出力レベルが所定の出力レベルになるようレベル調整して前記伝送線路に送出することを特徴とする棟内共聴装置。
【請求項３】
前記制御ユニットは、前記複数の増幅ユニットに設定されたパラメータの情報を取り込むと共に、前記増幅ユニットの動作状態を示す動作データからなるモニタ信号を、前記複数の増幅ユニットから取り込んで、前記パラメータの情報と前記モニタ信号とを乗せた通信信号を作成して、前記通信手段から送出することを特徴とする請求項１に記載の棟内共聴装置。
【請求項４】
前記制御ユニットは、前記伝送線路から受信した前記通信信号の出力レベルが所定の出力レベルになるようレベル調整して、前記作成した通信信号と共に前記ゲートウェイに向けて前記伝送線路に送出し、前記ゲートウェイは、前記伝送線路から受信した通信信号における前記パラメータの情報と前記モニタ信号とを特定のサーバに向けて公衆通信網に送信できることを特徴とする請求項３に記載の棟内共聴装置。
【請求項５】
前記ゲートウェイから送信された前記パラメータの情報と前記モニタ信号とを受信したサーバは、前記モニタ信号における前記動作データの情報から、前記複数の増幅装置の各増幅装置における前記複数の増幅ユニットの動作をそれぞれ監視することができることを特徴とする請求項４に記載の棟内共聴装置。
【発明の詳細な説明】
【技術分野】
【０００１】
本発明は、アンテナで受信した放送信号やＣＡＴＶ局からの伝送信号などを棟内において分岐・分配する棟内共聴装置、および、棟内共聴装置の増幅装置に適用して好適な増幅装置に関する。
【背景技術】
【０００２】
この明細書で云う「棟内共聴装置」とは、ビルや集合住宅，共同住宅などの建物に設置する共聴装置、および、戸建の建物に設置する共聴装置などの棟内に設置する共聴装置を云うものとする。
棟内共聴装置にＣＡＴＶ（ケーブルテレビジョン）を導入する場合の一例の構成を図１６に示す。
図１６に示す棟内共聴装置１１００は、棟内に設置され、ＣＡＴＶ信号伝送ライン中に挿入されている双方向分岐増幅装置１１０１により分岐された下り方向のＣＡＴＶ信号が、タップオフ（TAP OFF ）１１０２および保安器ＳＢを介して棟内に引き込まれ、双方向増幅装置１１０５の第１入力端子に入力されると共に、ＢＳ／ＣＳアンテナ１１０３よりのＢＳ−ＩＦあるいはＣＳ−ＩＦ信号が、双方向増幅装置１１０５の第２入力端子に入力される。これらの第１入力端子および第２入力端子に入力された３種類の信号は、それぞれ双方向増幅装置１１０５により増幅されて出力端子から混合されて出力される。
【０００３】
双方向増幅装置１１０５の出力は分岐器１１０６に供給され、分岐器１１０６において分岐された１つの信号は、分配器１１０７により複数に分配される。この分配された信号は双方向増幅装置１１０８により増幅されて、さらに分配器１１０９により複数に分配される。分配器１１０９により分配された１つの分配出力は、複数個縦続に接続された直列ユニット１１１０〜１１１５に供給される。この直列ユニット１１１５の終端にはインピーダンス整合用の終端抵抗１１１６が接続されている。
この直列ユニット１１１０〜１１１５は宅内の各部屋等に設けられており、この直列ユニット１１１０〜１１１５にはテレビジョン受像機等に接続されるケーブルが接続される。
また、棟内共聴装置１１００において、ＣＡＴＶ信号を棟内共聴装置１１００に導入することに替えて、ＦＭ放送を受信するＦＭアンテナおよび地上デジタル放送を受信するＵＨＦアンテナを設ける。そして、ＦＭアンテナで受信したＦＭ放送信号と、ＵＨＦアンテナで受信した地上デジタル放送信号と、ＢＳ／ＣＳアンテナ１１０３よりのＢＳ・ＣＳ−ＩＦ信号とを混合して双方向増幅装置１１０５に入力してもよい。
【先行技術文献】
【特許文献】
【０００４】
【特許文献１】特開平１１−４３５７号公報
【発明の概要】
【発明が解決しようとする課題】
【０００５】
従来の棟内共聴装置１１００において、伝送される共聴信号は上り方向のＣＡＴＶ信号と、下り方向のＣＡＴＶ信号と、ＢＳ・ＣＳ−ＩＦ信号とにより構成される。あるいは、ＦＭ放送信号と、地上デジタル放送信号と、ＢＳ・ＣＳ−ＩＦ信号とにより構成される。そして、双方向分岐増幅装置１１０５，１１０８は、この３つの異なる周波数帯域の信号からなる共聴信号を増幅する増幅部を備えている。この増幅部では、所定のレベルで３つの異なる周波数帯域の信号が出力されるようにレベル調整されている。この場合、増幅部における３つの異なる周波数帯域の各信号の入力・出力レベルを作業者が測定器で確認しながら、内蔵されているゲイン調整ボリュームや減衰量切換スイッチを操作して、増幅部のレベルの調整を行っていた。このため、双方向分岐増幅装置１１０５，１１０８における増幅部の入力・出力レベルを調整する際には、入力・出力レベルを測定するための測定器が必要になるという問題点があった。
【０００６】
そこで、本発明は、測定器を用いることなく出力レベルが所定の出力レベルになるよう調整することができる増幅装置、および、増幅装置が適用される棟内共聴装置を提供することを目的としている。
【課題を解決するための手段】
【０００７】
本発明の増幅装置は、所定の周波数帯域の信号を増幅する増幅ユニットと、前記増幅ユニットと接続されて、少なくとも前記増幅ユニットにレベルを調整できるパラメータの情報を設定することができると共に、通信信号の送受信を行える通信手段を有する制御ユニットとを備え、前記通信信号は、増幅ユニットが増幅する信号において使用されていない周波数帯域を用いており、前記パラメータの情報が乗った前記通信信号を前記通信手段が受信すると、前記制御ユニットは自機向けの前記パラメータの情報を取り込んで、取り込んだパラメータの情報を前記増幅ユニットに設定して、前記増幅ユニットのレベルを調整すると共に、受信した前記通信信号の出力レベルが所定の出力レベルになるようレベル調整して送出することを最も主要な特徴としている。
【０００８】
本発明の棟内共聴装置は、異なる周波数帯域とされている複数の放送信号を少なくとも含む共聴信号を伝送する棟内における伝送線路に、共聴信号を増幅する複数の増幅装置が設けられ、公衆通信網に接続するゲートウェイを備えている棟内共聴装置において、前記増幅装置は、前記共聴信号を構成する複数の周波数帯域の信号を、周波数帯域別にそれぞれ増幅する複数の増幅ユニットと、前記複数の増幅ユニットと接続されて、少なくとも前記複数の増幅ユニットにレベルを調整できるパラメータの情報を設定することができると共に、通信信号の送受信を行える通信手段を有する制御ユニットとを備え、前記通信信号は前記共聴信号において使用されていない周波数帯域を用いており、前記ゲートウェイは、公衆通信網を介して受け取った前記パラメータの情報を前記通信信号に乗せて前記複数の増幅装置に向けて前記伝送線路に送出し、前記複数の増幅装置における各増幅装置の前記通信手段が、前記伝送線路から前記通信信号を受信すると、自機向けの前記パラメータの情報が取り込まれて、前記制御ユニットは取り込んだパラメータの情報を前記複数の増幅ユニットに設定して、前記増幅ユニットのレベルを調整すると共に、受信した前記通信信号の出力レベルが所定の出力レベルになるようレベル調整して前記伝送線路に送出することを最も主要な特徴としている。
【０００９】
上記した本発明の棟内共聴装置において、前記制御ユニットは、前記複数の増幅ユニットに設定されたパラメータの情報を取り込むと共に、前記増幅ユニットの動作状態を示す動作データからなるモニタ信号を、前記複数の増幅ユニットから取り込んで、前記パラメータの情報と前記モニタ信号とを乗せた通信信号を作成して、前記通信手段から送出している。
また、上記した本発明の棟内共聴装置において、前記制御ユニットは前記伝送線路から受信した前記通信信号の出力レベルが所定の出力レベルになるようレベル調整して、前記作成した通信信号と共に前記ゲートウェイに向けて前記伝送線路に送出し、前記ゲートウェイは、前記伝送線路から受信した通信信号における前記パラメータの情報と前記モニタ信号とを特定のサーバに向けて公衆通信網に送信できるようにされている。
さらに、上記した本発明の棟内共聴装置において、前記ゲートウェイから送信された前記パラメータの情報と前記モニタ信号とを受信したサーバは、前記モニタ信号における前記動作データの情報から、前記複数の増幅装置の各増幅装置における前記複数の増幅ユニットの動作をそれぞれ監視することができるようにされている。
【発明の効果】
【００１０】
本発明の増幅装置は、増幅ユニットと通信手段を有する制御ユニットとを備え、増幅ユニットにレベルを調整できるパラメータの情報が乗った通信信号を通信手段が受信すると、自機向けのパラメータの情報が取り込まれて、制御ユニットは取り込んだパラメータの情報を増幅ユニットに設定している。これにより、測定器を用いることなく増幅装置の出力レベルが所定の出力レベルになるよう調整することができる。
本発明の棟内共聴装置は、通信手段を有する制御ユニットと、複数の増幅ユニットとを備える増幅装置が伝送線路に接続されている。ゲートウェイから伝送線路に送出された増幅ユニットにレベルを調整できるパラメータの情報が乗った通信信号を通信手段が受信すると、自機向けのパラメータの情報が取り込まれて、制御ユニットは取り込んだパラメータの情報を増幅ユニットに設定している。また、受信した通信信号の出力レベルが所定の出力レベルになるようレベル調整して伝送線路に送出しており、次段以降の増幅ユニットにおいてレベル調整することができるようになる。これにより、測定器を用いることなく増幅装置の出力レベルが所定の出力レベルになるよう調整することができる。
【図面の簡単な説明】
【００１１】
【図１】本発明の増幅装置を備える第１実施例の棟内共聴装置の構成を示す図である。
【図２】本発明の増幅装置を備える第２実施例の棟内共聴装置の構成を示す図である。
【図３】本発明の増幅装置とされる双方向増幅装置において、制御ユニットと各増幅ユニットとの接続状態を示す機能ブロック図である。
【図４】本発明の増幅装置とされる双方向増幅装置の制御ユニットの構成を示す機能ブロック図である。
【図５】本発明の増幅装置とされる双方向増幅装置の増幅ユニットの構成を示す機能ブロック図である。
【図６】本発明の増幅装置を備える本発明の棟内共聴装置における遠隔制御部の構成を示す機能ブロック図である。
【図７】本発明の増幅装置を備える本発明の棟内共聴装置におけるゲートウェイの構成を示す機能ブロック図である。
【図８】本発明の第１実施例の増幅装置である双方向増幅装置の詳細構成を示す機能ブロック図である。
【図９】本発明の第１実施例の増幅装置である双方向増幅装置の増幅ユニットの他の構成を示す機能ブロック図である。
【図１０】本発明の第２実施例の増幅装置である双方向増幅装置の詳細構成を示す機能ブロック図である。
【図１１】本発明の第２実施例の増幅装置である双方向増幅装置の増幅ユニットの他の構成を示す機能ブロック図である。
【図１２】本発明の増幅装置とされる双方向増幅装置においてマルチホップ通信を行うための構成を示す機能ブロック図、マルチホップ通信の経路の概略を示す図である。
【図１３】本発明の第１実施例の棟内共聴装置の使用例を説明するための構成のみを示す図である。
【図１４】本発明の第２実施例の棟内共聴装置の使用例を説明するための構成のみを示す図である。
【図１５】図１３および図１４に示す使用例における測定ユニットの構成を示す機能ブロック図である。
【図１６】従来の棟内共聴装置の構成を示す図である。
【発明を実施するための形態】
【００１２】
＜棟内共聴装置の第１実施例＞
本発明の増幅装置を備える第１実施例の棟内共聴装置の構成を図１に示す。
図１に示す本発明の第１実施例の棟内共聴装置１は、屋上などに設置されたＢＳ・ＣＳアンテナ１０と混合器１２とゲートウェイ１３とを備え、混合器１５と双方向増幅装置１７と分岐・分配器１８と双方向増幅装置１９と分岐・分配器２０とが縦続接続された伝送線路と、双方向増幅装置２２と分岐・分配器２３とが縦続接続された第１系統と、双方向増幅装置２４と分岐・分配器２５とが縦続接続された第２系統とから構成されている。伝送線路で伝送される伝送信号は、伝送線路損失や分配や分岐されることで減衰され、この減衰を補償するために、本発明の増幅装置とされる双方向増幅装置１７，１９，２２，２４が設けられている。
棟内共聴装置１には、ＣＡＴＶ局１０１０から幹線に設置されている増幅装置や分岐・分配装置などの幹線機器１０１１を介してＣＡＴＶ信号の伝送路に挿入されている分岐・分配装置などにより分岐されたＣＡＴＶ信号の下り信号（以下、「ＣＡＴＶ下り信号」という）がタップオフ（TAP OFF ）１０１２および保安器１０１３を介して棟内に引き込まれている。そして、保安器１０１３までのメンテナンスはＣＡＴＶ局１０１０が行うが、保安器１０１３以降のメンテナンスは加入者が行うこととされている。
【００１３】
棟内共聴装置１では、第２入力端子にゲートウェイ１３が接続されている混合器１２の第１入力端子にＢＳ・ＣＳアンテナ１０よりのＢＳ・ＣＳ−ＩＦ信号が入力され、混合器１２の出力端子は混合器１５の第２入力端子に接続されている。棟内共聴装置１に入力されたＣＡＴＶ下り信号は、混合器１５の第１入力端子に入力され、混合器１５の第１入力端子に入力されたＣＡＴＶ下り信号および第２入力端子に入力されたＢＳ・ＣＳ−ＩＦ信号が混合されて共聴信号とされて出力端子から出力される。ＣＡＴＶ下り信号には、地上デジタル放送信号が含まれている。
【００１４】
混合器１５の出力端子から出力された共聴信号は双方向増幅装置１７に入力されて所定のレベルになるよう増幅される。双方向増幅装置１７の出力は分岐・分配器１８に供給され、分岐・分配器１８において複数に分岐・分配される。分岐・分配器１８を通過した共聴信号は、双方向増幅装置１９に入力されて所定のレベルになるよう増幅される。双方向増幅装置１９の出力は分岐・分配器２０に供給され、分岐・分配器２０において複数に分岐・分配される。分岐・分配器２０を通過した共聴信号は、さらに、分岐・分配器２１で第１系統と第２系統の共聴信号に分配される。第１系統に分配された共聴信号は、双方向増幅装置２２に入力されて所定のレベルになるよう増幅されて、双方向増幅装置２２の出力は分岐・分配器２３に供給されて複数に分岐・分配される。分岐・分配器２３で分岐・分配された共聴信号は宅内の各部屋等に設けられている直列ユニットのテレビ端子にそれぞれ供給され、テレビ端子にはテレビジョン受像機等に接続されるケーブルが接続される。また、第２系統に分配された共聴信号は、双方向増幅装置２４に入力されて所定のレベルになるよう増幅されて、双方向増幅装置２４の出力は分岐・分配器２５に供給されて複数に分岐・分配される。分岐・分配器２５で分岐・分配された共聴信号は宅内の各部屋等に設けられている直列ユニットのテレビ端子にそれぞれ供給され、テレビ端子にはテレビジョン受像機等に接続されるケーブルが接続される。
【００１５】
また、第１系統の直列ユニットから送出された上り信号は分岐・分配器２３を介して双方向増幅装置２２で所定のレベルになるよう増幅されて、分岐・分配器２１に供給される。さらに、第２系統の直列ユニットから送出された上り信号は分岐・分配器２５を介して双方向増幅装置２４で所定のレベルになるよう増幅されて、分岐・分配器２１に供給される。分岐・分配器２１から出力された上り信号は、分岐・分配器２０−双方向増幅装置１９−分岐・分配器１８−双方向増幅装置１７の経路で上っていき、混合器１５を介して保安器１０１３に入力される。保安器１０１３を通過した上り信号は、タップオフ１０１２、ＣＡＴＶの幹線および幹線機器１０１１を介してＣＡＴＶ局１０１０に上っていき受信される。
【００１６】
上記したように、共聴信号は、ＣＡＴＶ下り信号とＣＡＴＶ信号の上り信号（以下、「ＣＡＴＶ上り信号」という）およびＢＳ・ＣＳ−ＩＦ信号から構成され、双方向増幅装置１７，１９，２２，２４は、ＣＡＴＶ下り信号を増幅する増幅ユニットとＣＡＴＶ上り信号を増幅する増幅ユニットおよびＢＳ・ＣＳ−ＩＦ信号を増幅する増幅ユニットを有している。それぞれの増幅ユニットの供給電圧および供給電流や温度などの機器の状態情報と、入力レベル、出力レベル、Ｃ／Ｎなどの伝送信号の状態情報からなる動作データは周期的にモニタされている。モニタされるモニタ信号は、動作データにモニタされた増幅ユニット特有の一意の識別情報（以下、「ＩＤ」という）を付加して構成されており、モニタ信号は変調されて共聴信号では使用されていない周波数帯域（例えば、９２０ＭＨｚ）のキャリアを用いた通信信号とされて棟内共聴装置１内の幹線を上っていき、混合器１５と混合器１２を介してゲートウェイ１３に供給される。モニタ信号はデジタル信号とされており、パケット化されると共に、そのパケットで上記キャリアがＦＳＫ（frequency shift keying）変調されて通信信号が作成される。非同期通信で通信信号は通信され、通信信号のパケットは送信元情報や宛先情報のヘッダを有している。ゲートウェイ１３は、棟内共聴装置１と公衆通信網であるインターネット１４との間でデータの送受を行える機能を有しており、通信信号をベースバンドのパケット信号に戻してＴＣＰ（Transmission Control Protocol ）やＨＴＴＰＳ（Hypertext Transfer Protocol Secure）によりモニタ信号をインターネット１４上のクラウド３に送出することができる。クラウド３で受信されたモニタ信号はクラウド３に保存される。なお、ゲートウェイ１３は、所定時間ごとにモニタ信号をクラウド３に送出したり、モニタ信号が更新されるごとにモニタ信号をクラウド３に送出している。
【００１７】
ゲートウェイ１３は、例えば携帯電話網やＷｉ−Ｆｉなどの無線でインターネット１４に接続されるが有線でインターネット１４に接続してもよい。インターネット１４上には遠隔制御部２が有線あるいは無線で接続されている。これにより、遠隔制御部２はクラウド３にアクセスすることにより、クラウド３上のアプリケーションによりＩＤ別にグラフ化されたモニタ信号を表示器上で確認することで双方向増幅装置１７，１９，２２，２４を監視できる。また、クラウド３上のアプリケーションによりモニタ信号が解析されて、モニタ信号に異常があった際には、異常情報を表示器上に表示して監視することができる。異常情報により、いずれかの増幅ユニットに不具合が生じる予兆が見られた場合は、当該増幅ユニットを有している棟内共聴装置１が設置されているビルやマンションに要員を派遣して事前に当該増幅ユニットを交換することができ、障害の発生を予防することができるようになる。これにより、遠隔制御部２は、棟内共聴装置１における双方向増幅装置１７，１９，２２，２４の各増幅ユニットを周期的に監視することができる。さらに、双方向増幅装置１７，１９，２２，２４からは各増幅ユニットに設定されているレベル調整用のパラメータの情報も通信信号によりゲートウェイ１３に送っており、ゲートウェイ１３はモニタ信号に加えて、レベル調整用のパラメータの情報もクラウド３に送っている。遠隔制御部２はクラウド３に格納されたパラメータを変更することができ、クラウド３からインターネット１４を介してゲートウェイ１３に変更されたパラメータが送られ、ゲートウェイ１３は変更されたパラメータを増幅ユニットに送ることで、遠隔制御により各増幅ユニットのレベル調整をすることができる。なお、各増幅ユニット内には入力レベルを調整する入力レベル調整部と出力レベルを調整する出力レベル調整部とが設けられており、入力レベル調整部および出力レベル調整部に所定のパラメータを設定することで、各増幅ユニットから所定の出力レベルとされた出力信号が出力される。すなわち、パラメータは、割り当てられた周波数帯域の信号を所定レベルで出力するように増幅ユニットに設定されるレベル調整用のパラメータである。パラメータには上記ＩＤが付加されており、ＩＤでは、双方向増幅装置１７，１９，２２，２４の各増幅ユニットを識別できると共に、各増幅ユニットにおける入力レベル調整部と出力レベル調整部とをそれぞれ識別することができる。
【００１８】
＜棟内共聴装置の第２実施例＞
本発明の増幅装置を備える第２実施例の棟内共聴装置５の構成を図２に示す。
図２に示す本発明の第２実施例の棟内共聴装置５は、ＢＳ・ＣＳアンテナ１０とＦＭアンテナ１１ａとＵＨＦアンテナ１１ｂと混合器１１と混合器１２とゲートウェイ１３とを備え、混合器１５と双方向増幅装置１７と分岐・分配器１８と双方向増幅装置１９と分岐・分配器２０とが縦続接続された伝送線路と、双方向増幅装置２２と分岐・分配器２３とが縦続接続された第１系統と、双方向増幅装置２４と分岐・分配器２５とが縦続接続された第２系統とから構成されている。伝送線路で伝送される伝送信号は、伝送線路損失や分配や分岐されることで減衰され、この減衰を補償するために、本発明の増幅装置とされる双方向増幅装置１７，１９，２２，２４が設けられている。ＢＳ・ＣＳ放送を受信してＢＳ・ＣＳ−ＩＦ信号を出力するＢＳ・ＣＳアンテナ１０と、ＦＭ放送を受信するＦＭアンテナ１１ａと、地上波デジタル放送を受信するＵＨＦアンテナ１１ｂとは、棟内共聴装置５が設置された棟の屋上などに設置されている。
【００１９】
棟内共聴装置５では、第２入力端子にゲートウェイ１３が接続されている混合器１２の第１入力端子にＢＳ・ＣＳアンテナ１０よりのＢＳ・ＣＳ−ＩＦ信号が入力され、混合器１２の出力端子は混合器１５の第２入力端子に接続されている。第１入力端子にＦＭアンテナ１１ａで受信されたＦＭ放送信号が入力され、第２入力端子にＵＨＦアンテナ１１ｂで受信された地上波デジタル放送信号が入力されている混合器１１において、ＦＭ放送信号と地上デジタル放送信号とが混合されて出力端子から出力されている。混合器１１の出力端子は混合器１５の第１入力端子に接続されて混合器１１の出力端子から出力されているＦＭ放送信号と地上デジタル放送信号との混合信号に、第２入力端子に入力されたＢＳ・ＣＳ−ＩＦ信号が混合されて共聴信号とされて混合器１５の出力端子から出力される。
【００２０】
混合器１５の出力端子から出力された共聴信号は双方向増幅装置１７に入力されて所定のレベルになるよう増幅される。双方向増幅装置１７の出力は分岐・分配器１８に供給され、分岐・分配器１８において複数に分岐・分配される。分岐・分配器１８を通過した共聴信号は、双方向増幅装置１９に入力されて所定のレベルになるよう増幅される。双方向増幅装置１９の出力は分岐・分配器２０に供給され、分岐・分配器２０において複数に分岐・分配される。分岐・分配器２０を通過した共聴信号は、さらに、分岐・分配器２１で第１系統と第２系統の共聴信号に分配される。第１系統に分配された共聴信号は、双方向増幅装置２２に入力されて所定のレベルになるよう増幅されて、双方向増幅装置２２の出力は分岐・分配器２３に供給されて複数に分岐・分配される。分岐・分配器２３で分岐・分配された共聴信号は宅内の各部屋等に設けられている直列ユニットのテレビ端子にそれぞれ供給され、テレビ端子にはテレビジョン受像機等に接続されるケーブルが接続される。また、第２系統に分配された共聴信号は、双方向増幅装置２４に入力されて所定のレベルになるよう増幅されて、双方向増幅装置２４の出力は分岐・分配器２５に供給されて複数に分岐・分配される。分岐・分配器２５で分岐・分配された共聴信号は宅内の各部屋等に設けられている直列ユニットのテレビ端子にそれぞれ供給され、テレビ端子にはテレビジョン受像機等に接続されるケーブルが接続される。
【００２１】
上記したように、共聴信号は、ＦＭ放送信号と地上デジタル放送信号とＢＳ・ＣＳ−ＩＦ信号との混合信号から構成され、双方向増幅装置１７，１９，２２，２４は、ＦＭ放送信号を増幅する増幅ユニットと地上デジタル放送信号を増幅する増幅ユニットとＢＳ・ＣＳ−ＩＦ信号を増幅する増幅ユニットとを有している。それぞれの増幅ユニットの供給電圧および供給電流や温度などの機器の状態情報と、入力レベル、出力レベル、Ｃ／Ｎなどの伝送信号の状態情報からなる動作データは周期的にモニタされている。モニタされるモニタ信号は、動作データにモニタされた増幅ユニット特有の一意の識別情報（以下、「ＩＤ」という）を付加して構成されており、モニタ信号は変調されて共聴信号では使用されていない周波数帯域（例えば、９２０ＭＨｚ）のキャリアを用いた通信信号とされて棟内共聴装置５内の幹線を上っていき、混合器１５と混合器１２を介してゲートウェイ１３に供給される。ゲートウェイ１３は、棟内共聴装置５とインターネット１４との間でデータの送受を行える機能を有しており、通信信号をベースバンドのパケット信号に戻してＴＣＰやＨＴＴＰＳによりモニタ信号をインターネット１４上のクラウド３に送出することができる。クラウド３で受信されたモニタ信号はクラウド３に保存される。なお、ゲートウェイ１３は、所定時間ごとにモニタ信号をクラウド３に送出したり、モニタ信号が更新されるごとにモニタ信号をクラウド３に送出している。
【００２２】
ゲートウェイ１３とクラウド３と遠隔制御部２の説明は上記した通りであるので省略するが、双方向増幅装置１７，１９，２２，２４からは各増幅ユニットに設定されているレベル調整用のパラメータの情報も通信信号によりゲートウェイ１３に送っており、ゲートウェイ１３はモニタ信号に加えて、レベル調整用のパラメータの情報もクラウド３に送っている。遠隔制御部２はクラウド３に格納されたパラメータを変更することができ、クラウド３からインターネット１４を介してゲートウェイ１３に変更されたパラメータが送られ、ゲートウェイ１３は変更されたパラメータを増幅ユニットに送ることで、遠隔制御により各増幅ユニットのレベル調整をすることができる。なお、各増幅ユニット内には入力レベルを調整する入力レベル調整部と出力レベルを調整する出力レベル調整部とが設けられており、入力レベル調整部および出力レベル調整部に所定のパラメータを設定することで、各増幅ユニットから所定の出力レベルとされた出力信号が出力される。すなわち、パラメータは、割り当てられた周波数帯域の信号を所定レベルで出力するように増幅ユニットに設定されるレベル調整用のパラメータである。パラメータには上記ＩＤが付加されており、ＩＤでは、双方向増幅装置１７，１９，２２，２４の各増幅ユニットを識別できると共に、各増幅ユニットにおける入力レベル調整部と出力レベル調整部とをそれぞれ識別することができる。
【００２３】
＜双方向増幅装置における接続状態＞
本発明の増幅装置の実施例とされる双方向増幅装置１７，１９，２２，２４は、それぞれ制御ユニットと複数の増幅ユニットとを備え、制御ユニットと複数の増幅ユニットとの間が相互に接続されている。そこで、本発明にかかる双方向増幅装置１７，１９，２２，２４において、制御ユニットと複数の増幅ユニットとの接続状態を示す機能ブロック図を図３に示す。ここで、本発明にかかる双方向増幅装置が適用される第１実施例の棟内共聴装置１では、共聴信号は、ＣＡＴＶ下り信号とＣＡＴＶ上り信号およびＢＳ・ＣＳ−ＩＦ信号から構成され、第２実施例の棟内共聴装置５では、共聴信号は、ＦＭ放送信号と地上デジタル放送信号とＢＳ・ＣＳ−ＩＦ信号との混合信号から構成される。このように、増幅する周波数帯域が異なっているが双方向増幅装置１７，１９，２２，２４における制御ユニットと複数の増幅ユニットとの接続状態は同様とされている。また、双方向増幅装置１９，２２，２４は双方向増幅装置１７と同じ構成とされているため、双方向増幅装置１７を代表として制御ユニットと複数の増幅ユニットとの接続状態を示す機能ブロック図を図３に示している。
図３に示す本発明の増幅装置の実施例とされる双方向増幅装置１７は、制御ユニット５１と、ＣＡＴＶ上り信号あるいはＦＭ放送信号を増幅する第１増幅ユニット５２と、ＣＡＴＶ下り信号あるいは地上デジタル放送信号を増幅する第２増幅ユニット５３と、ＢＳ・ＣＳ−ＩＦ信号を増幅する第３増幅ユニット５４とを備えている。そして、制御ユニット５１と第１増幅ユニット５２ないし第３増幅ユニット５４とは通信バス１７−１により相互に接続されている。
【００２４】
図３に示すように双方向増幅装置１７における制御ユニット５１は、マイクロコントローラー（ＭＣＵ）１００とＩ／Ｏ１０４とインタフェース（ＩＦ）１０４ａと通信Ｉ／Ｆ１０５を少なくとも備えている。第１増幅ユニット５２はＭＣＵ１３０とＩ／Ｏ１３４と増幅部５２−１とを少なくとも備えており、第２増幅ユニット５３もＭＣＵ１５０とＩ／Ｏ１５４と増幅部５３−１とを少なくとも備えており、第３増幅ユニット５４もＭＣＵ１６０とＩ／Ｏ１６４と増幅部５４−１とを少なくとも備えている。そして、Ｉ／Ｏ１０４，Ｉ／Ｏ１３４，Ｉ／Ｏ１５４，Ｉ／Ｏ１６４はそれぞれＲＳ４８５のインタフェースを備えており、相互にＲＳ４８５の通信バス１７−１により接続されている。これにより、制御ユニット５１は、２線の平衡伝送路を用いてシリアルの半二重通信で、第１増幅ユニット５２ないし第３増幅ユニット５４との間でデータの送受を行えるようになる。具体的には、制御ユニット５１は、パラメータを通信バス１７−１を通じて第１増幅ユニット５２ないし第３増幅ユニット５４の入力レベル調整部および出力レベル調整部に設定することができると共に、第１増幅ユニット５２ないし第３増幅ユニット５４の入力レベル調整部および出力レベル調整部に設定されているパラメータを通信バス１７−１を通じて取り込むことができる。
制御ユニット５１の通信Ｉ／Ｆ１０５はＭＣＵ１００の制御の基で、制御ユニット５１に取り込んだ第１増幅ユニット５２ないし第３増幅ユニット５４の入力レベル調整部および出力レベル調整部に設定されていたパラメータにＩＤを付加したパラメータの情報と、前記したモニタ信号とをパケット化して、共聴信号では使用されていない周波数帯域（例えば、９２０ＭＨｚ）のキャリアをパケットでＦＳＫ変調した通信信号にしてゲートウェイ１３に送出している。また、Ｉ／Ｆ１０４ａはＵＡＲＴ（Universal Asynchronous Receiver/Transmitter）のインタフェースとされ、パーソナルコンピュータ等とされた設定用端末を接続することができる。設定用端末を接続すると、設定用端末からＩ／Ｆ１０４ａを介して第１増幅ユニット５２ないし第３増幅ユニット５４の初期設定を行うことができると共に、所定のパラメータを入力レベル調整部および出力レベル調整部に設定することができる。
【００２５】
具体的には、本発明の増幅装置の実施例とされる双方向増幅装置１７の出力レベル等が環境変化などにより変化した際にレベル調整を設定用端末から行うことができる。レベル調整を行う際には、設定用端末をＩ／Ｆ１０４ａ介して制御ユニット５１に接続する。そして、制御ユニット５１に通信バス１７−１で接続されている第１増幅ユニット５２ないし第３増幅ユニット５４におけるモニタ信号を制御ユニット５１から取り込んで、アプリケーションによりＩＤ別にグラフ化されたモニタ信号を表示器上で確認する。また、第１増幅ユニット５２ないし第３増幅ユニット５４内の各増幅部５２−１，５３−１，５４−１における入力レベル調整部と出力レベル調整部に設定されているパラメータを取り込んで表示器上に表示する。そして、第１増幅ユニット５２ないし第３増幅ユニット５４の出力レベルが所定の出力レベルになるようにモニタ信号を確認しながら、入力レベル調整部と出力レベル調整部に設定されているパラメータを設定用端末で調整する。これにより、第１増幅ユニット５２ないし第３増幅ユニット５４から割り当てられた周波数帯域の信号が所定のレベルで出力されるようになる。このように、双方向増幅装置１７は設定用端末から電子制御されて、第１増幅ユニット５２ないし第３増幅ユニット５４の入力レベル調整部および出力レベル調整部に所定のパラメータが設定されるようになる。
【００２６】
本発明の増幅装置の実施例とされる双方向増幅装置１７においては、図示しない基板上に制御ユニット５１と第１増幅ユニット５２ないし第３増幅ユニット５４とが搭載されており、コネクタにより基板に対して脱着可能とされている。そして、ＲＳ４８５とされた通信バス１７−１は２線の平衡伝送路とされていることから、脱着の機構を簡易化できると共に、ノイズやサージに対する耐性を向上することができる。上記したように、制御ユニット５１を介して第１増幅ユニット５２ないし第３増幅ユニット５４の入力レベル調整部および出力レベル調整部のレベル調整が行なわれるが、調整時のパラメータは制御ユニット５１のメモリに保存されると共に、第１増幅ユニット５２ないし第３増幅ユニット５４のメモリに保存される。このため、例えば、制御ユニット５１が故障しても、第１増幅ユニット５２ないし第３増幅ユニット５４はそれぞれに内蔵されたＭＣＵの制御の基で動作しており、第１増幅ユニット５２ないし第３増幅ユニット５４に設定されているパラメータは維持されることから、停波することはない。このように、制御ユニット５１と第１増幅ユニット５２ないし第３増幅ユニット５４は、それぞれＭＣＵを内蔵しているため独立して動作しており、いずれかのユニットが故障しても、他のユニットに影響を及ぼすことはない。
双方向増幅装置１９，２２，２４においても、上記したとおりの機能を有している。
【００２７】
＜制御ユニット＞
次に、本発明の増幅装置とされる双方向増幅装置が備えている制御ユニット５１の構成を示す機能ブロック図を図４に示す。
図４に示す制御ユニット５１は、ＭＣＵ１００と通信Ｉ／Ｆ１０５と測定部１０６とアナログ−デジタル変換器（Ａ／Ｄ）１０７とを備え、通信Ｉ／Ｆ１０５と測定部１０６とＡ／Ｄ１０７とはＭＣＵ１００のバス１０８に接続されている。ＭＣＵ１００はマイクロコントローラーであり、ＭＣＵ１００は、ＣＰＵ（Central Processing Unit）１０１、ＲＯＭ（Read Only Memory）１０２、ＲＡＭ（Random Access Memory）１０３、Ｉ／Ｏ１０４を備え、これらをバス１０８で接続して構成されている。ＣＰＵ１０１は、ＲＯＭ１０２に記憶された制御処理プログラムを実行することにより、制御ユニット５１が上記した処理を行うようにＭＣＵ１００が動作する。この場合、制御ユニット５１に取り込まれた増幅ユニットの入力レベル調整部および出力レベル調整部に設定されたパラメータやモニタ信号はＲＡＭ１０３の領域に設定されテンポラリメモリに格納される。また、電源投入時には、ＣＰＵ１０１がＲＯＭ１０２に格納されている初期設定プログラムを実行して初期状態とする。通信Ｉ／Ｆ１０５はＭＣＵ１００の制御の基で、各増幅ユニットからのモニタ信号および入力レベル調整部および出力レベル調整部に設定されているパラメータとのパケットでＦＳＫ変調した通信信号をゲートウェイ１３に向けて送り出している。モニタ信号およびパラメータには自機のＩＤが付加されている。また、通信Ｉ／Ｆ１０５は通信信号を受信しており、通信信号を受信した際にＭＣＵ１００の制御の基で、自機のＩＤが付加されたパラメータの通信信号が取り込まれるようになる。取り込まれたパラメータは、制御ユニット５１により対応する増幅ユニットの入力レベル調整部と出力レベル調整部に設定される。さらに、ＭＣＵ１００のＩ／Ｏ１０４に含まれているＲＳ４８５ポートを介して通信バス１７−１に接続されている。そして、通信バス１７−１に接続された第１増幅ユニット５２ないし第３増幅ユニット５４の入力レベル調整部および出力レベル調整部設定されているパラメータが取り込まれて、テンポラリメモリ領域に格納される。Ｉ／Ｏ１０４におけるＩ／Ｆ１０４ａには設定用端末を接続することができ、設定用端末を接続すると、設定用端末からＩ／Ｆ１０４ａを介して上記したように第１増幅ユニット５２ないし第３増幅ユニット５４の初期設定を行うことができると共に、所定のパラメータを入力レベル調整部および出力レベル調整部に設定することができる。
【００２８】
測定部１０６には５本のＲＦラインが接続されて、第１増幅ユニット５２の入力と出力を分岐した分岐出力と、第２増幅ユニット５３および第３増幅ユニット５４の入力を分岐した分岐出力と、双方向増幅装置の出力を分岐した分岐出力からなる分岐出力１〜５のＲＦ信号が各ＲＦラインから入力されている。測定部１０６では、ＣＰＵ１０１の制御の基で分岐出力１〜５のアナログのＲＦ信号を受信して、各分岐出力における各チャンネル毎のレベルを検出してデジタルのレベル信号としている。また、Ａ／Ｄ１０７は、第１増幅ユニット５２ないし第３増幅ユニット５４における電圧、電流、温度等の図示しないセンサーからのアナログのセンサー信号を、ＣＰＵ１０１の制御の基で取り込んでデジタル信号に変換している。測定部１０６のデジタルのレベル信号とデジタルのセンサー信号とは、ＣＰＵ１０１の制御の基でＭＣＵ１００においてＩＤ付きのモニタ信号とされて、テンポラリメモリ領域に格納される。そして、ＭＣＵ１００の制御の基で通信Ｉ／Ｆ１０５においてデジタルのモニタ信号および設定されているパラメータの情報がパケット化され、そのパケットで上記キャリアがＦＳＫ変調されて通信信号が作成され、通信信号がゲートウェイ１３に送られるようになる。
【００２９】
以上説明した制御ユニット５１は、本発明の第１実施例の棟内共聴装置１に適用された本発明にかかる双方向増幅装置に備えられている。また、本発明の第２実施例の棟内共聴装置５に適用された本発明にかかる双方向増幅装置が備えている制御ユニット５１は図示していないが、測定部１０６には４本のＲＦラインが接続されており、第１増幅ユニット５２ないし第３増幅ユニット５４の入力を分岐した分岐出力と、双方向増幅装置の出力を分岐した分岐出力からなる分岐出力１〜４のＲＦ信号が各ＲＦラインから入力されている。以上の構成を除く構成は、本発明の第１実施例の棟内共聴装置１に適用された本発明にかかる双方向増幅装置が備えている制御ユニット５１の構成と同様とされているのでその説明は省略する。
【００３０】
＜増幅ユニット＞
次に、本発明の増幅装置とされる双方向増幅装置の増幅ユニットの構成を示す機能ブロック図を図５に示す。この増幅ユニットは、ここでは、第１増幅ユニット５２ないし第３増幅ユニット５４の機能ブロック図が同じ構成とされることから、代表として第１増幅ユニット５２の機能ブロック図を図５に示している。
図５に示す第１増幅ユニット５２は、ＭＣＵ１３０と複数のセンサー５２−２を備える増幅部５２−１とを備えている。ＭＣＵ１３０はマイクロコントローラーであり、ＭＣＵ１３０は、ＣＰＵ１３１、ＲＯＭ１３２、ＲＡＭ１３３、Ｉ／Ｏ１３４を備え、これらをバス１３７で接続して構成されている。ＣＰＵ１３１は、ＲＯＭ１３２に記憶された増幅処理プログラムを実行することにより、第１増幅ユニット５２が上記した増幅処理を行うようにＭＣＵ１３０が動作する。この場合、増幅部５２−１に設定されるパラメータはＲＡＭ１３３の領域に設定されたテンポラリメモリに格納される。また、電源投入時には、ＣＰＵ１３１がＲＯＭ１３２に格納されている初期設定プログラムを実行して第１増幅ユニット５２を初期化する。増幅部５２−１における少なくとも入力の分岐信号は第１増幅ユニット５２から制御ユニット５１に送られる。また、第１増幅ユニット５２における電圧、電流、温度等の複数のセンサー５２−２からのセンサー信号は制御ユニット５１に送られる。Ｉ／Ｏ１３４は、ＲＳ４８５インタフェースを備え通信バス１７−１に接続される。これにより、制御ユニット５１は第１増幅ユニット５２に、入力されたＲＦ信号を所定レベルで出力するように入力レベル調整部および出力レベル調整部に設定するパラメータを送れると共に第１増幅ユニット５２の入力レベル調整部および出力レベル調整部に設定されているパラメータおよび第１増幅ユニット５２の動作データを取り込むことができる。通信バス１７−１およびＩ／Ｏ１３４を介して送られたパラメータは、ＣＰＵ１３１の制御の基で増幅部５２−１の入力レベル調整部および出力レベル調整部に設定される。
以上説明した構成とされた増幅ユニットを備える増幅装置は、本発明の第１実施例の棟内共聴装置１および本発明の第２実施例の棟内共聴装置５のいずれにも適用することができる。
【００３１】
＜遠隔制御部＞
次に、インターネット１４に接続される遠隔制御部２の構成を示す機能ブロック図を図６に示す。遠隔制御部２は、本発明の増幅装置を備える第１実施例の棟内共聴装置１および第２実施例の棟内共聴装置５において同じ構成とされている。
図６に示す遠隔制御部２は、ＭＣＵ１４０と入力装置１４５と表示器１４６と広域通信Ｉ／Ｆ１４７とを備え、入力装置１４５はＩ／Ｏ１４４に接続され、表示器１４６と広域通信Ｉ／Ｆ１４７はＭＣＵ１４０のバス１４８に接続されている。広域通信Ｉ／Ｆ１４７は、インターネット１４などの公衆通信網に接続可能な通信インタフェースである。ＭＣＵ１４０はマイクロコントローラーであり、ＭＣＵ１４０は、ＣＰＵ１４１、ＲＯＭ１４２、ＲＡＭ１４３、Ｉ／Ｏ１４４を備え、これらをバス１４８で接続して構成されている。ＣＰＵ１４１は、ＲＯＭ１４２に記憶された遠隔制御プログラムを実行することにより、クラウド３にアクセスする。これにより、クラウド３上のアプリケーションにより双方向増幅装置１７，１９，２２，２４のそれぞれにおいてＩＤ別にグラフ化されたモニタ信号が表示器１７６に表示され、表示内容を視認することで双方向増幅装置１７，１９，２２，２４のそれぞれにおける第１増幅ユニット５２ないし第３増幅ユニット５４を監視できる。また、クラウド３上のアプリケーションによりモニタ信号が解析されて、モニタ信号に異常があった際には、ＣＰＵ１４１の制御の基で双方向増幅装置１７，１９，２２，２４のそれぞれにおいて異常情報を表示器１７６上に表示して監視することができる。異常情報により、双方向増幅装置１７，１９，２２，２４のそれぞれにおいて、いずれかの増幅ユニットに不具合が生じる予兆がＣＰＵ１４１の制御の基で見られた場合は、その旨を棟内共聴装置の管理者にメール送信したり、当該増幅ユニットを有している棟内共聴装置１が設置されているビルやマンションに要員を派遣して事前に当該増幅ユニットを交換することができ、障害の発生を予防することができるようになる。これにより、遠隔制御部２は、棟内共聴装置１における双方向増幅装置１７，１９，２２，２４の第１増幅ユニット５２ないし第３増幅ユニット５４を周期的に監視することができる。
【００３２】
また、電源投入時には、ＣＰＵ１４１がＲＯＭ１４２に格納されている初期設定プログラムを実行して各部の初期設定が行われる。
遠隔制御部２では、ＣＰＵ１４１の制御の基で表示器１４６に表示された双方向増幅装置１７，１９，２２，２４における第１増幅ユニット５２ないし第３増幅ユニット５４の動作状態を確認することができる。これにより、双方向増幅装置１７，１９，２２，２４の出力レベル等が環境変化などにより変化した際にレベル調整を遠隔制御部２から行うことができる。レベル調整を行う際には、ＩＤ別に表示器１４６上に表示されたグラフ化されたモニタ信号と、第１増幅ユニット５２ないし第３増幅ユニット５４の入力レベル調整部と出力レベル調整部に設定されているパラメータを確認しながら、Ｉ／Ｏ１４４に接続されたキーボード等の入力装置１４５を用いて、任意の増幅ユニットの入力レベル調整部および出力レベル調整部に設定されているパラメータを変更する。変更されたパラメータは、ＣＰＵ１４１の制御の基でインターネット１４およびゲートウェイ１３を介して棟内共聴装置１あるいは棟内共聴装置５に送られる。棟内共聴装置１あるいは棟内共聴装置５では、変更されたパラメータの情報に付加されているＩＤにより定められる増幅ユニットを備える双方向増幅装置が受け取って、ＩＤに応じた増幅ユニットの入力レベル調整部および出力レベル調整部に変更されたパラメータが設定される。このように、遠隔制御部２では、双方向増幅装置１７，１９，２２，２４における第１増幅ユニット５２ないし第３増幅ユニット５４の入力レベル調整部および出力レベル調整部に設定されているパラメータを遠隔制御で調整することができる。また、インターネット１４に接続可能な遠隔制御プログラムがインストールされているタブレットやスマートフォンでも、クラウド３にアクセスすることにより、双方向増幅装置１７，１９，２２，２４における第１増幅ユニット５２ないし第３増幅ユニット５４の監視を行えると共に、双方向増幅装置１７，１９，２２，２４における第１増幅ユニット５２ないし第３増幅ユニット５４の入力レベル調整部および出力レベル調整部に設定されているパラメータを遠隔制御で調整することができる。
【００３３】
＜ゲートウェイ＞
次に、本発明の増幅装置を備える第１実施例の棟内共聴装置１および第２実施例の棟内共聴装置５におけるゲートウェイ１３の構成を示す機能ブロック図を図７に示す。
図７に示すゲートウェイ１３は、ＭＣＵ１７０と入力装置１７５と表示器１７６と広域通信Ｉ／Ｆ１７７と通信Ｉ／Ｆ１７８とを備え、入力装置１７５はＩ／Ｏ１７４に接続され、表示器１７６と広域通信Ｉ／Ｆ１７７と通信Ｉ／Ｆ１７８はＭＣＵ１７０のバス１７９に接続されている。広域通信Ｉ／Ｆ１７７は、インターネット１４などの公衆通信網に接続可能な通信インタフェースである。ＭＣＵ１７０はマイクロコントローラーであり、ＭＣＵ１７０は、ＣＰＵ１７１、ＲＯＭ１７２、ＲＡＭ１７３、Ｉ／Ｏ１７４を備え、これらをバス１７９で接続して構成されている。ＣＰＵ１７１は、ＲＯＭ１７２に記憶されたゲートウェイ処理プログラムを実行することにより、以下に説明するゲートウェイ処理を実行する。
ゲートウェイ１３では、通信信号で用いている通信規格 （プロトコル）と、インターネット１４上のクラウド３に接続するプロトコル（ＨＴＴＰＳあるいはＴＣＰ）との相互変換を行っている。双方向増幅装置１７，１９，２２，２４における制御ユニット５１からゲートウェイ１３に送られた通信信号は、ＣＰＵ１７１の制御の基でＩＤ付きのモニタ信号やＩＤ付きのパラメータに復調されてＲＡＭ１７３のテンポラリメモリ領域に格納される。ＣＰＵ１７１の制御の基で所定時間毎にＩＤ付きのモニタ信号およびＩＤ付きのパラメータがＲＡＭ１７３から読み出されて所定のプロトコルの書式に変更されてパケット化され、インターネット１４上のクラウド３に送出される。
【００３４】
また、ゲートウェイ１３はクラウド３に格納されているパラメータが変更されたかを尋ねるリクエストを送る。クラウド３は、格納されているパラメータが変更されている場合は、リクエストに応えて変更されたＩＤ付きのパラメータをゲートウェイ１３に送る。ゲートウェイ１３はＣＰＵ１７１の制御の基で変更されたＩＤ付きのパラメータをＲＡＭ１７３に格納して、ＩＤから識別した双方向増幅装置にパラメータを変更するコマンドと変更されたＩＤ付きのパラメータを送る。双方向増幅装置の制御ユニット５１では、ＣＰＵ１０１の制御の基で送られたＩＤ付きのパラメータから該当する増幅ユニットを識別して、当該増幅ユニットに変更されたパラメータを設定する。
【００３５】
＜第１実施例の増幅装置の詳細＞
次に、本発明の棟内共聴装置１に適用される本発明の第１実施例の増幅装置である双方向増幅装置の詳細構成を示す機能ブロック図を図８、図９に示す。ここでは、双方向増幅装置１７と双方向増幅装置１９，２２，２４の構成が同じ構成とされることから、代表として第１実施例にかかる双方向増幅装置１７の詳細構成を示す機能ブロック図を図８に、図８では示されていない第１実施例にかかる双方向増幅装置１７の増幅ユニットの構成を示す機能ブロック図を図９に示している。
図８、図９に示すように第１実施例にかかる双方向増幅装置１７は、制御ユニット５１と第１増幅ユニット５２と第２増幅ユニット５３と第３増幅ユニット５４とを備えている。制御ユニット５１ではＣＰＵ１０１が制御処理プログラムを実行することにより実現される設定部５１−１と、Ｉ／Ｆ１０４ａを含むＩ／Ｏ１０４と通信Ｉ／Ｆ１０５と測定部１０６とＡ／Ｄ１０７とが示されている。また、図９においては第１増幅ユニット５２の増幅部５２−１と第２増幅ユニット５３の増幅部５３−１と第３増幅ユニット５４の増幅部５４−１の構成だけが示され、他の構成は省略されている。
図８、図９に示す双方向増幅装置１７においては、図３に示すように制御ユニット５１と第１増幅ユニット５２ないし第３増幅ユニット５４とが通信バス１７−１により相互に接続されている。
【００３６】
端子２０１はＣＡＴＶ上り信号が出力されると共にＣＡＴＶ下り信号が入力される端子であり、端子２０２はＢＳ・ＣＳ−ＩＦ信号が入力される、あるいは、ＣＡＴＶ上り信号が出力されると共にＣＡＴＶ下り信号およびＢＳ・ＣＳ−ＩＦ信号が入力される端子である。入力切換スイッチ２１０は、端子２０１にＣＡＴＶ下り信号が入力され、端子２０２にＢＳ・ＣＳ−ＩＦ信号が入力された時に、端子２０１側に切り換えて第１フィルタ（Ｆｉｌ１）にＣＡＴＶ下り信号を供給し、端子２０２にＣＡＴＶ下り信号およびＢＳ・ＣＳ−ＩＦ信号が入力された時に、端子２０２側に切り換えて第３フィルタ（Ｆｉｌ３）で分波されたＣＡＴＶ下り信号をＦｉｌ１に供給している。Ｆｉｌ１は、ＣＡＴＶ下り信号を分波して第２増幅ユニット５３の増幅部５３−１に供給し、第２分岐器（Ｓｐ２）から供給された所定レベルに調整されたＣＡＴＶ上り信号を分波して入力切換スイッチ２１０に供給する。入力切換スイッチ２１０では、端子２０１側に切り換えられている時は所定レベルに調整されたＣＡＴＶ上り信号を端子２０１から出力し、端子２０２側に切り換えられている時はＣＡＴＶ上り信号をＦｉｌ３に供給して、Ｆｉｌ３を通じて所定レベルに調整されているＣＡＴＶ上り信号が端子２０２から出力している。
【００３７】
端子２０３は、棟内共聴装置１における直列ユニットから送出されたＣＡＴＶ上り信号が入力されると共に、所定レベルに調整されたＣＡＴＶ下り信号およびＢＳ・ＣＳ−ＩＦ信号が出力される端子である。端子２０３に入力されたＣＡＴＶ上り信号は、第５分岐器（Ｓｐ５）を通過して第４フィルタ（Ｆｉｌ４）に供給されて分波され、第２フィルタ（Ｆｉｌ２）に供給される。Ｆｉｌ２は、ＣＡＴＶ上り信号を分波して第１増幅ユニット５２の増幅部５２−１に供給する。増幅部５２−１は、入力レベル調整部２１１と第１分岐器（Ｓｐ１）と第１増幅器（Ａｍｐ１）と出力レベル調整部２１２と第２増幅器（Ａｍｐ２）とＳｐ２とが縦続接続されて構成されている。そして、Ｓｐ１で分岐されたＡｍｐ１の入力信号を分岐した分岐出力１と、Ｓｐ２で分岐されたＡｍｐ２の出力信号を分岐した分岐出力２とは測定部１０６に送られて入力レベルと出力レベルが検出されて、第１増幅ユニット５２のＩＤが付加されて制御ユニット５１内に格納される。この入力レベルと出力レベルが所定の値となるように、入力レベル調整部２１１および出力レベル調整部２１２に、設定部５１−１からパラメータＡ，Ｂがそれぞれ設定される。この際に、図９に示すように設定部５１−１からのパラメータＡ，ＢはＭＣＵ１３０の制御の基でそれぞれ入力レベル調整部２１１および出力レベル調整部２１２に設定される。パラメータＡ，Ｂは上記したように遠隔制御部２において遠隔制御により調整されて、ゲートウェイ１３を介して制御ユニット５１の通信Ｉ／Ｆ１０５が受け取ることができる。また、制御ユニット５１のＩ／Ｆ１０４ａに設定用端末を接続することにより、設定用端末で調整されたパラメータＡ，Ｂを制御ユニット５１のＩ／Ｆ１０４ａから受け取ることもできる。これにより、所定レベルに調整されたＣＡＴＶ上り信号がＳｐ２に供給されるようになる。
【００３８】
Ｆｉｌ１で分波されたＣＡＴＶ下り信号は、第２増幅ユニット５３の増幅部５３−１に供給される。増幅部５３−１は、入力レベル調整部２１３と第３分岐器（Ｓｐ３）と第３増幅器（Ａｍｐ３）と出力レベル調整部２１４と第４増幅器（Ａｍｐ４）とが縦続接続されて構成されている。そして、Ｓｐ３で分岐されたＡｍｐ３の入力信号を分岐した分岐出力３と、Ｓｐ５で分岐されたＦｉｌ４からの出力信号を分岐した分岐出力４とは測定部１０６に送られて各チャンネル毎の入力レベルと出力レベルが検出されて、第２増幅ユニット５３のＩＤが付加されて制御ユニット５１内に格納される。この各チャンネル毎の入力レベルと出力レベルが所定の値となるように、入力レベル調整部２１３および出力レベル調整部２１４に、設定部５１−１からパラメータＣ，Ｄがそれぞれ設定される。この際に、図９に示すように設定部５１−１からのパラメータＣ，ＤはＭＣＵ１５０の制御の基でそれぞれ入力レベル調整部２１３および出力レベル調整部２１４に設定される。パラメータＣ，Ｄは、上記したように遠隔制御部２において遠隔制御により設定することができる。また、制御ユニット５１のＩ／Ｆ１０４ａに設定用端末を接続することにより、設定用端末からパラメータＣ，Ｄを設定することもできる。これにより、所定レベルに調整されたＣＡＴＶ下り信号が端子２０３から出力されるようになる。
【００３９】
Ｆｉｌ３で分波されたＢＳ・ＣＳ−ＩＦ信号は、第３増幅ユニット５４の増幅部５４−１に供給される。増幅部５４−１は、入力レベル調整部２１５と第４分岐器（Ｓｐ４）と第５増幅器（Ａｍｐ５）と出力レベル調整部２１６と第６増幅器（Ａｍｐ６）とが縦続接続されて構成されている。そして、Ｓｐ４で分岐されたＡｍｐ５の入力信号を分岐した分岐出力５と、Ｓｐ５で分岐されたＦｉｌ４からの出力信号を分岐した分岐出力４とは測定部１０６に送られて各チャンネル毎の入力レベルと出力レベルが検出されて、第２増幅ユニット５３のＩＤが付加されて制御ユニット５１内に格納される。この各チャンネル毎の入力レベルと出力レベルが所定の値となるように、入力レベル調整部２１５および出力レベル調整部２１６に、設定部５１−１からパラメータＥ，Ｆがそれぞれ設定される。この際に、図９に示すように設定部５１−１からのパラメータＥ，ＦはＭＣＵ１６０の制御の基でそれぞれ入力レベル調整部２１５および出力レベル調整部２１６に設定される。パラメータＥ，Ｆは、上記したように遠隔制御部２において遠隔制御により設定することができる。また、制御ユニット５１のＩ／Ｆ１０４ａに設定用端末を接続することにより、設定用端末からパラメータＥ，Ｆを設定することもできる。これにより、所定レベルに調整されたＢＳ・ＣＳ−ＩＦ信号が端子２０３から出力されるようになる。
なお、入力レベル調整部２１１，２１３，２１５および出力レベル調整部２１２，２１４，２１６はアッテネータ、イコライザ、ゲインコントロール回路、チルト回路などのレベルや周波数特性を調整可能な回路を組み合わせて構成することができ、いずれの回路にもパラメータが設定されており、このパラメータを上記したように電子制御により調整可能とされている。
【００４０】
測定部１０６には、第１増幅ユニット５２の入力と出力を分岐した分岐出力１，２と、第２増幅ユニット５３および第３増幅ユニット５４の入力を分岐した分岐出力３，５と、双方向増幅装置の出力を分岐した分岐出力４からなる分岐出力１〜５のＲＦ信号が入力される。そして、各分岐信号における各チャンネル毎のレベルを検出してデジタルのレベル信号としている。また、Ａ／Ｄ１０７は、第１増幅ユニット５２ないし第３増幅ユニット５４における電圧、電流、温度等の図示しないセンサーからのセンサー信号を取り込んでデジタル信号に変換している。測定部１０６から出力されるデジタルのレベル信号とＡ／Ｄ１０７から出力されるデジタルのセンサー信号とは、ＩＤ付きのモニタ信号とされる。そして、通信Ｉ／Ｆ１０５においてＭＣＵ１００の制御の基でデジタルのモニタ信号および設定されているパラメータとの情報がパケット化されてそのパケットで、共聴信号で使用されていない周波数帯域のキャリアをＦＳＫ変調した通信信号が作成され、通信信号がゲートウェイ１３に送られるようになる。
【００４１】
上記したように、双方向増幅装置１７，１９，２２，２４における第１増幅ユニット５２ないし第３増幅ユニット５４の入力レベル調整部２１１，２１３，２１５および出力レベル調整部２１２，２１４，２１６に設定されているパラメータＡ〜Ｆの情報はゲートウェイ１３からクラウド３に送られて、クラウド３に保持される。環境変化等により双方向増幅装置１７，１９，２２，２４における第１増幅ユニット５２ないし第３増幅ユニット５４のいずれかの増幅ユニットのレベル調整を行う必要がある場合は、遠隔制御部２はクラウド３に保持されているパラメータＡ〜Ｆを変更することにより、インターネット１４およびゲートウェイ１３を介して変更されたパラメータＡ〜ＦがＩＤで特定された増幅ユニットに送られて、当該増幅ユニットの双方向増幅装置における制御ユニット５１がＩＤで特定された入力レベル調整部あるいは出力レベル調整部に設定するようになる。また、増幅ユニットを設置した際には、遠隔制御部２はクラウド３にアクセスすることにより、設置した増幅ユニットに設定されたパラメータを表示器１４６上で確認でき設置時の工事ミスなどを指摘することができる。
【００４２】
＜第２実施例の増幅装置の詳細＞
次に、本発明の第２実施例の棟内共聴装置５に適用される本発明の第２実施例の増幅装置である双方向増幅装置の詳細構成を示す機能ブロック図を図１０、図１１に示す。ここでは、双方向増幅装置１７と双方向増幅装置１９，２２，２４の構成が同じ構成とされることから、代表として第２実施例にかかる双方向増幅装置１７の詳細構成を示す機能ブロック図を図１０に、図１０では示されていない第２実施例にかかる双方向増幅装置１７の増幅ユニットの構成を示す機能ブロック図を図１１に示している。
図１０、図１１に示すように第２実施例にかかる双方向増幅装置１７は、制御ユニット５１と第１増幅ユニット５５と第２増幅ユニット５６と第３増幅ユニット５４とを備えている。制御ユニット５１ではＣＰＵ１０１が制御処理プログラムを実行することにより実現される設定部５１−１と、Ｉ／Ｆ１０４ａを含むＩ／Ｏ１０４と通信Ｉ／Ｆ１０５と測定部１０６とＡ／Ｄ１０７とが示されている。また、図１０においては第１増幅ユニット５５の増幅部５５−１と第２増幅ユニット５６の増幅部５６−１と第３増幅ユニット５４の増幅部５４−１の構成だけが示され、他の構成は省略されている。
図１０，図１１に示す双方向増幅装置１７においては、図３と同様に制御ユニット５１と第１増幅ユニット５５，第２増幅ユニット５６，第３増幅ユニット５４が通信バス１７−１により相互に接続されている。
【００４３】
端子２３１はＦＭ放送信号と地上デジタル放送信号との混合信号が入力される端子であり、端子２３２はＢＳ・ＣＳ−ＩＦ信号、あるいは、ＦＭ放送信号と地上デジタル放送信号との混合信号およびＢＳ・ＣＳ−ＩＦ信号が入力される端子である。入力切換スイッチ２４０は、端子２３１にＦＭ放送信号と地上デジタル放送信号との混合信号が入力され、端子２３２にＢＳ・ＣＳ−ＩＦ信号が入力された時に、端子２３１側に切り換えて第１１フィルタ（Ｆｉｌ１１）にＦＭ放送信号と地上デジタル放送信号との混合信号を供給し、端子２３２にＦＭ放送信号と地上デジタル放送信号との混合信号およびＢＳ・ＣＳ−ＩＦ信号が入力された時に、端子２３２側に切り換えて第１３フィルタ（Ｆｉｌ１３）で分波されたＦＭ放送信号と地上デジタル放送信号との混合信号をＦｉｌ１１に供給している。Ｆｉｌ１１は、ＦＭ放送信号を分波して第１増幅ユニット５５の増幅部５５−１に供給すると共に、地上デジタル放送信号を分波して第２増幅ユニット５６の増幅部５６−１に供給する。
【００４４】
増幅部５５−１から所定の出力レベルで出力されるＦＭ放送信号と、増幅部５６−１から所定の出力レベルで出力される地上デジタル放送信号とは第１２フィルタ（Ｆｉｌ１２）に供給されて混合され、第１４フィルタ（Ｆｉｌ１４）に供給される。Ｆｉｌ１４には、第３増幅部５４−１から所定の出力レベルで出力されるＣＳ・ＢＳ−ＩＦ信号が供給されて、ＦＭ放送信号と地上デジタル放送信号との混合信号に混合される。Ｆｉｌ１４からの出力信号（ＦＭ放送信号と地上デジタル放送信号とＣＳ・ＢＳ−ＩＦ信号との混合信号）は、第１５分岐器（Ｓｐ１５）を通過して端子２３３から出力される。
【００４５】
Ｆｉｌ１１で分波されたＦＭ放送信号は、第１増幅ユニット５５の増幅部５５−１に供給される。増幅部５５−１では、入力レベル調整部２４１と第１１分岐器（Ｓｐ１１）と第１１増幅器（Ａｍｐ１１）と出力レベル調整部２４２と第１２増幅器（Ａｍｐ１２）とが縦続接続されて構成されている。そして、Ｓｐ１１で分岐されたＡｍｐ１１の入力信号を分岐した分岐出力１は、測定部１０６に送られて入力レベルが検出されて、第１増幅ユニット５５のＩＤが付加されて制御ユニット５１内に格納される。また、Ｓｐ１５で分岐されたＦｉｌ１４からの出力信号を分岐した分岐出力４は測定部１０６に送られて各チャンネル毎の出力レベルが検出されて、双方向増幅装置１７のＩＤが付加されて制御ユニット５１内に格納される。これにより、測定部１０６では各チャンネル毎の出力レベルをＦＭ放送信号と地上デジタル放送信号とＣＳ・ＢＳ−ＩＦ信号とで別々に検出できる。そして、測定部１０６で検出された増幅部５５−１の入力レベルと分岐出力４から検出されたＦＭ放送信号の出力レベルが所定の値となるように、入力レベル調整部２４１および出力レベル調整部２４２に、設定部５１−１からパラメータＡ，Ｂがそれぞれ設定される。この際に、図１１に示すように設定部５１−１からのパラメータＡ，ＢはＭＣＵ１８０の制御の基でそれぞれ入力レベル調整部２４１および出力レベル調整部２４２に設定される。パラメータＡ，Ｂは、上記したように遠隔制御部２において遠隔制御により設定することができる。また、制御ユニット５１のＩ／Ｆ１０４ａに設定用端末を接続することにより、設定用端末からパラメータＡ，Ｂを設定することもできる。これにより、所定レベルに調整されたＦＭ放送信号が端子２３３から出力されるようになる。
【００４６】
Ｆｉｌ１１で分波された地上デジタル放送信号は、第２増幅ユニット５６の増幅部５６−１に供給される。増幅部５６−１は、入力レベル調整部２４３と第１３分岐器（Ｓｐ１３）と第１３増幅器（Ａｍｐ１３）と出力レベル調整部２４４と第１４増幅器（Ａｍｐ１４）とが縦続接続されて構成されている。そして、Ｓｐ１３で分岐されたＡｍｐ１３の入力信号を分岐した分岐出力３は測定部１０６に送られて各チャンネル毎の入力レベルが検出されて、第２増幅ユニット５６のＩＤが付加されて制御ユニット５１内に格納される。この各チャンネル毎の入力レベルと分岐出力４から測定部１０６で検出された地上デジタル放送信号の出力レベルが所定の値となるように、入力レベル調整部２４３および出力レベル調整部２４４に、設定部５１−１からパラメータＣ，Ｄがそれぞれ設定される。この際に、図１１に示すように設定部５１−１からのパラメータＣ，ＤはＭＣＵ１９０の制御の基でそれぞれ入力レベル調整部２４３および出力レベル調整部２４４に設定される。パラメータＣ，Ｄは、上記したように遠隔制御部２において遠隔制御により設定することができる。また、制御ユニット５１のＩ／Ｆ１０４ａに設定用端末を接続することにより、設定用端末からパラメータＣ，Ｄを設定することもできる。これにより、所定レベルに調整されたＣＡＴＶ下り信号が端子２３３から出力されるようになる。
【００４７】
Ｆｉｌ１３で分波されたＢＳ・ＣＳ−ＩＦ信号は、第３増幅ユニット５４の増幅部５４−１に供給される。増幅部５４−１は、入力レベル調整部２１５と第４分岐器（Ｓｐ４）と第５増幅器（Ａｍｐ５）と出力レベル調整部２１６と第６増幅器（Ａｍｐ６）とが縦続接続されて構成されている。そして、Ｓｐ４で分岐されたＡｍｐ５の入力信号を分岐した分岐出力５は測定部１０６に送られて各チャンネル毎の入力レベルが検出されて、第２増幅ユニット５３のＩＤが付加されて制御ユニット５１内に格納される。この各チャンネル毎の入力レベルと分岐出力４から測定部１０６で検出されたＣＳ・ＢＳ−ＩＦ信号との出力レベルが所定の値となるように、入力レベル調整部２１５および出力レベル調整部２１６に、設定部５１−１からパラメータＥ，Ｆがそれぞれ設定される。パラメータＥ，Ｆは、上記したように遠隔制御部２において遠隔制御により設定することができる。また、制御ユニット５１のＩ／Ｆ１０４ａに設定用端末を接続することにより、設定用端末からパラメータＥ，Ｆを設定することもできる。これにより、所定レベルに調整されたＢＳ・ＣＳ−ＩＦ信号が端子２０３から出力されるようになる。
なお、入力レベル調整部２４１，２４３，２１５および出力レベル調整部２４２，２４４，２１６はアッテネータ、イコライザ、ゲインコントロール回路、チルト回路などのレベルや周波数特性を調整可能な回路を組み合わせて構成することができ、いずれの回路にもパラメータが設定されており、このパラメータを上記したように電子制御により調整可能とされている。
【００４８】
測定部１０６には、第１増幅ユニット５５の入力と出力を分岐した分岐出力１と、第２増幅ユニット５６および第３増幅ユニット５４の入力を分岐した分岐出力２，３と、双方向増幅装置１７の出力を分岐した分岐出力４からなる分岐出力１〜４のＲＦ信号が入力される。そして、各分岐信号における各チャンネル毎のレベルを検出してデジタルのレベル信号としている。また、Ａ／Ｄ１０７は、第１増幅ユニット５５と第２増幅ユニット５６および第３増幅ユニット５４における電圧、電流、温度等の図示しないセンサーからのセンサー信号を取り込んでデジタル信号に変換している。測定部１０６から出力されるデジタルのレベル信号とＡ／Ｄ１０７から出力されるデジタルのセンサー信号とは、ＩＤ付きのモニタ信号とされる。そして、通信Ｉ／Ｆ１０５においてＭＣＵ１００の制御の基でデジタルのモニタ信号および設定されているパラメータとの情報がパケット化されてそのパケットで、共聴信号で使用されていない周波数帯域のキャリアをＦＳＫ変調した通信信号が作成され、通信信号がゲートウェイ１３に送られるようになる。
【００４９】
上記したように、双方向増幅装置１７，１９，２２，２４における第１増幅ユニット５５と第２増幅ユニット５６および第３増幅ユニット５４の入力レベル調整部２４１，２４３，２１５および出力レベル調整部２４２，２４４，２１６に設定されているパラメータＡ〜Ｆの情報はゲートウェイ１３からクラウド３に送られて、クラウド３に保持される。環境変化等により双方向増幅装置１７，１９，２２，２４における第１増幅ユニット５５と第２増幅ユニット５６および第３増幅ユニット５４のいずれかの増幅ユニットのレベル調整を行う必要がある場合は、遠隔制御部２はクラウド３に保持されているパラメータＡ〜Ｆを変更することにより、インターネット１４およびゲートウェイ１３を介して変更されたパラメータＡ〜ＦがＩＤで特定された増幅ユニットに送られて、当該増幅ユニットを備える双方向増幅装置の制御ユニット５１がＩＤで特定された入力レベル調整部あるいは出力レベル調整部に設定するようになる。また、増幅ユニットを設置した際には、遠隔制御部２はクラウド３にアクセスすることにより、設置した増幅ユニットに設定されたパラメータを表示器１４６上で確認でき設置時の工事ミスなどを指摘することができる。
【００５０】
＜マルチホップ通信＞
ところで、本発明の増幅装置を備える第１実施例の棟内共聴装置１においては、通信信号はゲートウェイ１３から双方向増幅装置１７，１９，２２，２４に向けて発信されたり、双方向増幅装置１７，１９，２２，２４の制御ユニット５１のそれぞれから発信されてゲートウェイ１３まで上っていくが、棟内共聴装置１の伝送線路に送出された通信信号は双方向増幅装置１７，１９を通過するようになる。しかしながら、双方向増幅装置１７，１９においては共聴信号では使用されていない周波数帯域（例えば、９２０ＭＨｚ）のキャリアを用いた通信信号が増幅される経路がない（図８参照）ことから減衰してしまうため、双方向増幅装置１９，２２，２４あるいはゲートウェイ１３まで届かない恐れがある。そこで、本発明の増幅装置を備える第１実施例の棟内共聴装置１においては、通信信号をマルチホップ通信により双方向増幅装置１７，１９において減衰を補うために増幅中継するようにしている。なお、共聴信号では使用されていない周波数帯域（例えば、９２０ＭＨｚ）のキャリアをＦＳＫ変調した通信信号は非同期通信で通信されており、双方向増幅装置１７，１９，２２，２４は非同期で通信信号の送受を行っている。
双方向増幅装置１７，１９におけるマルチホップ通信を行うための構成を示す機能ブロック図を図１２（ａ）に、マルチホップ通信の経路の概略を図１２（ｂ）に示す。図１２（ａ）では、図８に示す双方向増幅装置１７の構成を省略して示している。
図１２（ｂ）に示すマルチホップ通信の経路において、ゲートウェイ１３から双方向増幅装置１７，１９，２２，２４に向けて伝送線路に送出された通信信号は、双方向増幅装置１７に到達して自機向けの宛先情報とされたパケットが取り込まれ、取り込まれなかった通信信号は所定の出力レベルになるようレベル調整されて双方向増幅装置１９，２２，２４に向けて伝送線路に送出される。また、双方向増幅装置１９に到達した通信信号は自機向けの宛先情報のパケットが取り込まれ、取り込まれなかった通信信号は所定の出力レベルになるようレベル調整されて双方向増幅装置２２，２４に向けて伝送線路に送出される。さらに、双方向増幅装置２２（２４）に到達した通信信号は自機向けの宛先情報のパケットが取り込まれる。
また、図１２（ｂ）に示すマルチホップ通信の経路において、ゲートウェイ１３に向けて双方向増幅装置１７，１９，２２，２４から伝送線路に送出された通信信号は、所定の出力レベルになるようレベル調整されて次段の双方向増幅装置に向けて伝送線路に送出されると共に、到達した双方向増幅装置において送信元情報が自機のパケットからなる通信信号が自機から非同期でかつ所定の出力レベルで次段の双方向増幅装置に向けて伝送線路に送出される。これにより、伝送線路に送出された通信信号はゲートウェイ１３に確実に到達するようになる。
【００５１】
双方向増幅装置１７，１９において通信信号がレベル調整されて送出されないシングルホップ通信でゲートウェイ１３から双方向増幅装置１７，１９，２２，２４に向けて伝送線路に送出された通信信号の場合、通信信号はゲートウェイ１３から双方向増幅装置１７までの経路ａでは届くものの、経路ｂ、ｃでは減衰が激しく通信信号は正常に届かないようになる。これに対して、双方向増幅装置１７，１９において通信信号がレベル調整されて中継されるマルチホップ通信の場合は、双方向増幅装置１７，１９のそれぞれにおいて減衰されることはないから、通信信号はゲートウェイ１３から双方向増幅装置１７までの経路ａおよび経路ｂ，ｃでも通信信号は確実に届くようになる。
ゲートウェイ１３に向けて双方向増幅装置１７，１９，２２，２４から伝送線路に送出された通信信号の場合も同様であり、シングルホップ通信の場合は、上り方向の次段の双方増幅装置までは届くもののゲートウェイ１３までは届かないようになる。これに対して、マルチホップ通信の場合は、双方向増幅装置１７，１９において通信信号がレベル調整されて中継されることから、ゲートウェイ１３まで確実に届くようになる。
【００５２】
マルチホップ通信を具体的に説明すると、図１２（ａ）に示すＡ点は、図８に示す入力切換スイッチ２１０とＦｉｌ３との接続点であるＡ点に接続され、Ｂ点は、図８に示すＦｉｌ２とＦｉｌ４との接続点であるＢ点に接続される。ゲートウェイ１３から送出された通信信号は、図８に示す端子２０２に入力され、Ｆｉｌ３を通過してＡ点に至り、通信信号抽出フィルタ２２１により通信信号のみが抽出されて制御ユニット５１の通信Ｉ／Ｆ１０５に供給される。通信Ｉ／Ｆ１０５ではＭＣＵ１００の制御の基で、通信信号を受信した双方向増幅装置に向けた宛先情報のパケットを取り込むと共に、供給された通信信号のレベルが所定の出力レベルになるようレベル調整されて通信Ｉ／Ｆ１０５から次段の双方向増幅装置に向けて送出される。送出された通信信号は通信信号抽出フィルタ２２１を通過してＢ点に至る。そして、Ｆｉｌ４を通過しＳｐ５を介して端子２０３から所定の出力レベルで出力される。
【００５３】
また、ゲートウェイ１３へ向けて送出された通信信号は、図８に示す端子２０３に入力され、Ｓｐ５およびＦｉｌ４を通過してＢ点に至り、通信信号抽出フィルタ２２０により通信信号のみが抽出されて制御ユニット５１の通信Ｉ／Ｆ１０５に供給される。通信Ｉ／Ｆ１０５ではＭＣＵ１００の制御の基で、供給された通信信号のレベルが所定の出力レベルになるようレベル調整されて送出されると共に、通信Ｉ／Ｆ１０５で作成された送信元情報が自機の通信信号が通信Ｉ／Ｆ１０５から非同期で送出される。送出された通信信号は通信信号抽出フィルタ２２１を通過してＡ点に至る。そして、Ｆｉｌ３を通じて端子２０２から所定の出力レベルで出力される。
【００５４】
次に、通信信号がゲートウェイ１３まで届かない恐れがあることは、本発明の増幅装置を備える第２実施例の棟内共聴装置５においても同様であり、図１２（ｂ）を用いて説明すると、シングルホップ通信の場合は、ゲートウェイ１３から双方向増幅装置１７，１９，２２，２４に向けて伝送線路に送出された通信信号は、ゲートウェイ１３から双方向増幅装置１７までの経路ａでは届くものの、経路ｂ、ｃでは減衰が激しく通信信号は正常に届かないと共に、ゲートウェイ１３に向けて双方向増幅装置１７，１９，２２，２４から伝送線路に送出された通信信号は、上り方向の次段の双方増幅装置までは届くもののゲートウェイ１３までは届かないようになる。これに対して、マルチホップ通信の場合は、ゲートウェイ１３から双方向増幅装置１７，１９，２２，２４に向けて伝送線路に送出された通信信号は、ゲートウェイ１３から経路ａ，ｂ，ｃで各双方向増幅装置まで確実に届くと共に、ゲートウェイ１３に向けて双方向増幅装置１７，１９，２２，２４から伝送線路に送出された通信信号は、確実にゲートウェイ１３まで届くようになる。
【００５５】
具体的には、本発明の増幅装置を備える第２実施例の棟内共聴装置５における双方向増幅装置１７，１９がマルチホップ通信を行うための機能ブロック図の構成は図１２（ａ）に示す構成と同様となる。
図１２（ａ）に示すＡ点は、図１０に示す入力切換スイッチ２４０とＦｉｌ１３との接続点であるＡ点に接続され、Ｂ点は、図１０に示すＦｉｌ１２とＦｉｌ１４との接続点であるＢ点に接続される。
ゲートウェイ１３から送出された通信信号は、図１０に示す端子２３２に入力され、Ｆｉｌ１３を通過してＡ点に至り、通信信号抽出フィルタ２２１により通信信号のみが抽出されて制御ユニット５１の通信Ｉ／Ｆ１０５に供給される。通信Ｉ／Ｆ１０５ではＭＣＵ１００の制御の基で、通信信号を受信した双方向増幅装置に向けた宛先情報のパケットが取り込まれると共に、供給された通信信号のレベルが所定の出力レベルになるようレベル調整されて通信Ｉ／Ｆ１０５から次段の双方向増幅装置に向けて送出される。送出された通信信号は通信信号抽出フィルタ２２１を通過してＢ点に至る。そして、Ｆｉｌ１４を通過しＳｐ１５を介して端子２３３から所定の出力レベルで出力される。
【００５６】
また、ゲートウェイ１３へ向けて送出された通信信号は、図１０に示す端子２３３に入力され、Ｓｐ１５およびＦｉｌ１４を通過してＢ点に至り、通信信号抽出フィルタ２２０により通信信号のみが抽出されて制御ユニット５１の通信Ｉ／Ｆ１０５に供給される。通信Ｉ／Ｆ１０５ではＭＣＵ１００の制御の基で、供給された通信信号のレベルが所定の出力レベルになるようレベル調整されて送出されると共に、通信Ｉ／Ｆ１０５で作成された送信元情報が自機の通信信号が通信Ｉ／Ｆ１０５から非同期で送出される。送出された通信信号は通信信号抽出フィルタ２２１を通過してＡ点に至る。そして、Ｆｉｌ１３を通じて端子２３２から所定の出力レベルで出力される。
このように、本発明の増幅装置を備える第１実施例の棟内共聴装置１および本発明の増幅装置を備える第２実施例の棟内共聴装置５においては、マルチホップ通信を行うことにより通信信号の減衰を補うことができ、通信信号は最終段の双方向増幅装置あるいはゲートウェイ１３まで確実に到達するようになる。
【００５７】
＜第１実施例の棟内共聴装置の使用例＞
次に、本発明の第１実施例の棟内共聴装置１の使用例を説明する。この使用例を説明するための構成のみを図１３に示す。図１３に示す構成は、分岐・分配器２３で分配された分配信号が供給される宅内３００の構成のみとされており、この構成は図１に示す第１実施例の棟内共聴装置１の分岐・分配器２３の使用例の構成とされて、他の構成は省略して示している。
図１３に示す使用例において、分岐・分配器２３で分配された共聴信号が宅内３００の分配器３１１に供給され、分配器３１１で複数に分配された共聴信号が、直列ユニットにおけるそれぞれ同軸端子とされた複数のテレビ端子３１２に供給されている。テレビ端子３１２の一つにはテレビ受像機（ＴＶ）３２０が接続され、他のテレビ端子３１２にはＣＡＴＶモデム３２１が接続されている。そして、テレビ端子３１２の一つに測定ユニット３２２が接続されている。テレビ端子３１２の一つに測定ユニット３２２が接続されると、本発明の第１実施例の棟内共聴装置１が備える本発明の増幅装置の出力レベルが以下に説明するように自動的にレベル調整されるようになる。
【００５８】
ここで、測定ユニット３２２の構成を示す機能ブロック図を図１５に示す。図１５に示す測定ユニット３２２は、テレビ端子３１２に装着される同軸コネクタ３３４を備え、同軸コネクタ３３４に入力された共聴信号におけるＣＡＴＶ上り信号とＣＡＴＶ下り信号とＣＳ・ＢＳ−ＩＦ信号とにおける各チャンネル毎のレベルが、ＭＣＵ３３１の制御の基でレベル測定部３３２で検出されてデジタルのレベル信号とされ、このレベル信号はＭＣＵ３３１内のメモリに格納される。そして、通信Ｉ／Ｆ３３３はＭＣＵ３３１の制御の基で格納されたレベル信号を上記した通信信号に乗せてテレビ端子３１２および分岐・分配器２３を介して棟内共聴装置の伝送線路に送出する。伝送線路に送出された通信信号は、本発明の増幅装置とされる双方向増幅装置１７，１９，２２，２４における制御ユニット５１が受け取って、レベル信号が所定の出力レベルとされているかを検出する。そして、所定の出力レベルとされていない周波数帯域の信号が検出された場合は、制御ユニット５１は当該周波数帯域が割り当てられている増幅ユニットの入力レベル調整部および出力レベル調整部のパラメータを調整することにより、当該周波数帯域の信号の出力レベルが所定の出力レベルになるよう自動的にレベル調整を行う。これにより、測定ユニット３２２をいずれかのテレビ端子に接続することにより、本発明の第１実施例の棟内共聴装置１が備える全てのテレビ端子から出力される共聴信号であるＣＡＴＶ上り信号、ＣＡＴＶ下り信号およびＣＳ・ＢＳ−ＩＦ信号の出力レベルが所定の出力レベルとなるよう自動的にレベル調整されるようになる。
なお、以上の説明では分岐・分配器２３からの分配信号を使用するようにしたが、分岐・分配器１８，２０，２５からの分配信号を引き込んだ宅内において、テレビ端子の一つに測定ユニット３２２を装着した場合も、上記したように本発明の第１実施例の棟内共聴装置が備える全てのテレビ端子から出力される共聴信号であるＣＡＴＶ上り信号、ＣＡＴＶ下り信号およびＣＳ・ＢＳ−ＩＦ信号の出力レベルが所定の出力レベルとなるよう自動的にレベル調整されるようになる。
【００５９】
＜第２実施例の棟内共聴装置の使用例＞
次に、本発明の第２実施例の棟内共聴装置５の使用例を説明する。この使用例を説明するための構成のみを図１４に示す。図１４に示す構成は、分岐・分配器２３で分配された分配信号が供給される宅内３００の構成のみとされており、この構成は図２に示す第２実施例の棟内共聴装置５の分岐・分配器２３の使用例の構成とされて、他の構成は省略して示している。
図１４に示す使用例において、分岐・分配器２３で分配された共聴信号が宅内３００の分配器３１１に供給され、分配器３１１で複数に分配された共聴信号が、直列ユニットにおけるそれぞれ同軸端子とされたテレビ端子３１２に供給されている。テレビ端子３１２の一つにはテレビ受像機（ＴＶ）３２０が接続され、他のテレビ端子３１２にはＦＭ受信機３２３が接続されている。そして、テレビ端子３１２の一つに測定ユニット３２２が接続されている。テレビ端子３１２の一つに測定ユニット３２２が接続されると、本発明の第２実施例の棟内共聴装置５が備える本発明の増幅装置の出力レベルが以下に説明するように自動的にレベル調整されるようになる。
【００６０】
ここで、測定ユニット３２２の構成は図１５に示す通りとされている。図１５に示す測定ユニット３２２は、テレビ端子３１２に装着されて同軸コネクタ３３４に共聴信号が入力される。共聴信号は、ＦＭ放送信号と地上デジタル放送信号とＣＳ・ＢＳ−ＩＦ信号とされ、共聴信号における各チャンネル毎のレベルが、ＭＣＵ３３１の制御の基でレベル測定部３３２で検出されてデジタルのレベル信号とされ、このレベル信号はＭＣＵ３３１内のメモリに格納される。そして、通信Ｉ／Ｆ３３３はＭＣＵ３３１の制御の基で格納されたレベル信号を上記した通信信号に乗せてテレビ端子３１２および分岐・分配器２３を介して棟内共聴装置の伝送線路に送出する。伝送線路に送出された通信信号は、本発明の増幅装置とされる双方向増幅装置１７，１９，２２，２４における制御ユニット５１が受け取って、レベル信号が所定の出力レベルとされているかを検出する。そして、所定の出力レベルとされていない周波数帯域の信号が検出された場合は、制御ユニット５１は当該周波数帯域が割り当てられている増幅ユニットの入力レベル調整部および出力レベル調整部のパラメータを調整することにより、当該周波数帯域の信号の出力レベルが所定の出力レベルになるよう自動的にレベル調整を行う。これにより、測定ユニット３２２をいずれかのテレビ端子に接続することにより、本発明の第２実施例の棟内共聴装置５が備える全てのテレビ端子から出力される共聴信号であるＦＭ放送信号と地上デジタル放送信号およびＣＳ・ＢＳ−ＩＦ信号の出力レベルが所定の出力レベルとなるよう自動的にレベル調整されるようになる。
なお、以上の説明では分岐・分配器２３からの分配信号を使用するようにしたが、分岐・分配器１８，２０，２５からの分配信号を引き込んだ宅内において、テレビ端子の一つに測定ユニット３２２を装着した場合も、上記したように本発明の第２実施例の棟内共聴装置が備える全てのテレビ端子から出力される共聴信号であるＦＭ放送信号と地上デジタル放送信号およびＣＳ・ＢＳ−ＩＦ信号の出力レベルが所定の出力レベルとなるよう自動的にレベル調整されるようになる。
【産業上の利用可能性】
【００６１】
本発明の実施例の増幅装置を備える本発明にかかる棟内共聴装置において、ゲートウェイはモニタ信号やパラメータの情報をクラウドに送ると説明したが、クラウドを省略して遠隔制御部にモニタ信号やパラメータの情報を直接送るようにしてもよい。
また、本発明の実施例の増幅装置である双方向増幅装置における通信バスはＲＳ４８５と説明したが、これに限ることはなく２線の平衡伝送路を用いてシリアル接続される通信バスとされていればよい。
さらに、通信信号はＣＳＭＡ／ＣＡ（Carrier Sense Multiple Access with Collision Avoidance）を採用した非同期通信で通信することができる。
本発明にかかる増幅装置を備える本発明にかかる「棟内共聴装置」には、ビルや集合住宅，共同住宅などの建物に設置する共聴装置、および、戸建の建物に設置する共聴装置などの棟内に設置される共聴装置が含まれているが、双方向増幅装置や分岐・分配器の数は上記説明した数に限らず、棟内の規模や設備等に応じた任意の数とすることができる。
【符号の説明】
【００６２】
１  棟内共聴装置、２  遠隔制御部、３  クラウド、５  棟内共聴装置、１０  ＢＳ・ＣＳアンテナ、１１，１２，１５  混合器、１１ａ  ＦＭアンテナ、１１ｂ  ＵＨＦアンテナ、１３  ゲートウェイ、１４  インターネット、１７，１９，２２，２４  双方向増幅装置、１７−１  通信バス、１８，２０，２１，２３，２５  分配器、５１  制御ユニット、５１−１  設定部、５２，５５  第１増幅ユニット、５２−２  センサー、５３，５６  第２増幅ユニット、５３−１，５４−１，５５−１，５６−１  増幅部、５４  第３増幅ユニット、１００，１３０，１４０，１５０，１６０，１７０，１８０，１９０，３３１  ＭＣＵ、１０１，１３１，１４１，１７１  ＣＰＵ、１０２，１３２，１４２，１７２  ＲＯＭ、１０３，１３３，１４３，１７３  ＲＡＭ、１０４，１３４１４４，１７４  Ｉ／Ｏ、１０４ａ  Ｉ／Ｆ、１０５，１７８，３３３  通信Ｉ／Ｆ、１０６  測定部、１０７  Ａ／Ｄ変換器、１０８，１３７，１４８，１７９  バス、１４５，１７５  入力装置、１４６，１７６  表示器、１４７，１７７  広域通信Ｉ／Ｆ、２０１，２０２，２０３，２３１，２３２，２３３  端子、２１０，２４０  入力切換スイッチ、２１１，２１３，２１５，２４１，２４３  入力レベル調整部、２１２，２１４，２１６，２４２，２４４  出力レベル調整部、２２０  通信信号抽出フィルタ、２２１  通信信号抽出フィルタ、３００  宅内、３１１  分配器、３１２  テレビ端子、３２０  テレビ受像機、３２１  ＣＡＴＶモデム、３２２  測定ユニット、３２３  ＦＭ受信機、３３２  レベル測定部、３３４  同軸コネクタ、１０１０  ＣＡＴＶ局、１０１１  幹線機器、１０１２  タップオフ、１０１３  保安器、１１００  棟内共聴装置、１１０１  双方向分岐増幅装置、１１０３  ＢＳ／ＣＳアンテナ、１１０５，１１０８  双方向分岐増幅装置、１１０６  分岐器、１１０７，１１０９  分配器、１１１０〜１１１５  直列ユニット、１１１６  終端抵抗
【図１】
2020036314.tif 000003
【図２】
2020036314.tif 000004
【図３】
2020036314.tif 000005
【図４】
2020036314.tif 000006
【図５】
2020036314.tif 000007
【図６】
2020036314.tif 000008
【図７】
2020036314.tif 000009
【図８】
2020036314.tif 000010
【図９】
2020036314.tif 000011
【図１０】
2020036314.tif 000012
【図１１】
2020036314.tif 000013
【図１２】
2020036314.tif 000014
【図１３】
2020036314.tif 000015
【図１４】
2020036314.tif 000016
【図１５】
2020036314.tif 000017
【図１６】
2020036314.tif 000018